(57)【要約】【課題】フィルタ性能を向上することができ、組立作業も容易なエアフィルタユニットを提供する。【解決手段】フィルタ枠１６，２２内に、複数のフィルタカセットがＶ字型に組み合わせて配置される。フィルタ枠１６，２２は、フィルタカセット同士が隣接する方向と直角な方向に互いに対向して配置された一対の枠部材１６のうち少なくとも一方に、フィルタカセット同士が隣接する方向と直角な方向に貫通する貫通穴１６ｂが形成される。貫通穴１６ｂから、フィルタカセットがフィルタ枠１６，２２内に挿入される。【選択図】図２
2005161263.tif 000002
【特許請求の範囲】
【請求項１】
ろ材を含む複数の矩形のフィルタカセットをＶ字型に組み合わせてフィルタ枠内に収納するエアフィルタユニットにおいて、
上記フィルタ枠は、上記フィルタカセット同士が隣接する方向と直角な方向に互いに対向して配置された一対の枠部材のうち少なくとも一方に、上記フィルタカセット同士が隣接する方向と直角な方向に貫通する貫通穴が形成され、該貫通穴から、上記フィルタカセットが上記フィルタ枠内に挿入されることを特徴とする、エアフィルタユニット。
【請求項２】
上記一対の枠部材には、Ｖ字型に組み合わせて上記フィルタ枠内に収納された上記フィルタカセットごとに、上記貫通穴が交互に形成されたことを特徴とする、請求項１に記載のエアフィルタユニット。
【請求項３】
上記フィルタ枠は、上記一対の枠部材の少なくとも一方の外側に配置され、上記フィルタ枠内に収納された上記フィルタカセット同士が隣接する方向と直角な方向の上記フィルタカセットの端部に圧接する外枠部材を備えたことを特徴とする、請求項１又は２に記載のエアフィルタユニット。
【請求項４】
上記一対の枠部材間において、上記フィルタ枠の延在方向と垂直な方向の両側に、上記一対の枠部材の延在方向に交互に配置された連結部材を備え、
該連結部材は、上記フィルタ枠内に収納された上記フィルタカセット同士が隣接する方向の上記フィルタカセットの端部に圧接することを特徴とする、請求項１、２又は３に記載のエアフィルタユニット。
【発明の詳細な説明】
【技術分野】
【０００１】
本発明は、エアフィルタユニットに関する。
【背景技術】
【０００２】
従来、例えば図５に示すように、外枠４内に複数の矩形のフィルタカセット６をＶ字状に組み合わせて配列し、矢印８で示すように前方から抜き差しできるエアフィルタユニット２が提供されている（例えば、非特許文献１参照）。
【非特許文献１】「室内空気清浄便覧」社団法人日本空気清浄協会編、株式会社オーム社、平成１２年８月２５日、ｐ．２２０−２２１
【発明の開示】
【発明が解決しようとする課題】
【０００３】
このようなエアフィルタユニット２では、隣接するフィルタカセット６を抜き差しする方向が交差するので、抜き差しを容易にするため、完全にシールすることはできず、フィルタカセット６の隣り合う部分７にある程度の隙間や遊びができるようにしておく必要がある。
【０００４】
しかし、このように隙間や遊びができるようになていると、フィルタ性能（粒子捕集率など）が低下する一因となる。また、隣接するフィルタカセット６を抜き差しする方向が交差している上に、外枠４に対して斜めになるため、組立作業が面倒になる。
【０００５】
本発明は、かかる実情に鑑み、フィルタ性能を向上することができ、組立作業も容易なエアフィルタユニットを提供しようとするものである。
【課題を解決するための手段】
【０００６】
本発明は、上記技術的課題を解決するため、以下の構成のエアフィルタユニットを提供する。
【０００７】
エアフィルタユニットは、ろ材を含む複数の矩形のフィルタカセットをＶ字型に組み合わせてフィルタ枠内に収納するタイプのものである。上記フィルタ枠は、上記フィルタカセット同士が隣接する方向と直角な方向に互いに対向して配置された一対の枠部材のうち少なくとも一方に、上記フィルタカセット同士が隣接する方向と直角な方向に貫通する貫通穴が形成され、該貫通穴から、上記フィルタカセットが上記フィルタ枠内に挿入される。
【０００８】
上記構成によれば、フィルタカセットは、フィルタカセット同士が隣接する方向と直角な方向に、すなわちエアフィルタユニットに対する空気の流れと略直角な方向に、貫通穴からフィルタ枠内に抜き差しすることができる。この抜き差しする方向は、隣接するフィルタカセットと交差しない方向であるので、隣接するフィルタ間に隙間や遊びができなようにしても、フィルタカセットの抜き差しを容易に行うことができる。また、フィルタカセットを抜き差しする方向はフィルタ枠の延在方向であり、フィルタ枠に対して斜めに交差しないので、組立作業も容易になる。
【０００９】
好ましくは、上記一対の枠部材には、Ｖ字型に組み合わせて上記フィルタ枠内に収納された上記フィルタカセットごとに、上記貫通穴が交互に形成される。
【００１０】
上記構成によれば、一対の枠部材について、貫通穴による強度低下が等しくなるようにしたり、同一形状として部品の種類を減らし、構成を簡単にしたりすることができる。
【００１１】
好ましくは、上記フィルタ枠は、外枠部材を備える。上記外枠部材は、上記一対の枠部材の少なくとも一方の外側に配置され、上記フィルタ枠内に収納された上記フィルタカセット同士が隣接する方向と直角な方向の上記フィルタカセットの端部に圧接する。
【００１２】
上記構成において、一対の枠部材の外側に配置された外枠部材により、一対の枠部材の貫通穴からフィルタカセットが抜け出ることを阻止することができる。フィルタカセットそれぞれについて個別にフィルタ枠から抜け出ないようにする場合に比べ、構成が簡単となり、組立作業も容易になる。また、外枠部材がフィルタカセットの端部に圧接してシール性が高まるので、フィルタユニットの粒子捕集率を向上することができる。
【００１３】
好ましくは、上記一対の枠部材間において、上記フィルタ枠の延在方向と垂直な方向の両側に、上記一対の枠部材の延在方向に交互に配置された連結部材を備える。該連結部材は、上記フィルタ枠内に収納された上記フィルタカセット同士が隣接する方向の上記フィルタカセットの端部に圧接する。
【００１４】
上記のように連結部材にフィルタカセットの端部を圧接するという簡単な構成で、隣接するフィルタカセット間をシールし、フィルタユニットの粒子捕集率を向上することができる。
【発明の効果】
【００１５】
本発明のエアフィルタユニットは、フィルタ性能を向上することができ、組立作業も容易である。
【発明を実施するための最良の形態】
【００１６】
以下、本発明の実施の形態として実施例を、図１〜図４を参照しながら説明する。
【００１７】
図１及び図２に示すように、エアフィルタユニット１０は、図において上下一対の内枠部材１６と左右一対の側板部材２２とが矩形に結合されたフィルタ枠の内部に、フィルタカセット３１〜３８が収納されるようになっている。そして、上下一対の内枠部材１６の間には連結部材１２，１４が結合され、内枠部材１６の外側には外枠部材１８が配置される。
【００１８】
内枠部材１６は板状の部材であり、図２に示したように、板厚方向に非貫通の有底溝１６ａと、貫通する貫通穴１６ｂとが、ジグザグに交互に形成されている。一対の内枠部材１６は、同一寸法形状であり、一方の内枠部材１６の有底溝１６ａが他方の内枠部材１６の貫通穴１６ｂに対向するように配置される。図３に示すように、貫通穴１６ｂの周囲にはザグリ１６ｔが形成されていて、ザグリ１６ｔ側から貫通穴１６ｂにフィルタカセット３１〜３８を容易に挿入できるようになっている。また、内枠部材１６の端部には、切欠き１６ｓが形成されている。
【００１９】
外枠部材１８は板状の部材であり、図２に示すように、片面には複数の有底溝１８ａが斜め平行に形成されている。一対の外枠部材１８は、同一寸法形状であり、一対の内枠部材１６の外側の面に接するように固定され、各有底溝１８ａが内枠部材１６の各貫通穴１６ｂにそれぞれ対向するようになっている。外枠部材１８の端部には、図３に示すように、突起１８ｔが形成され、内枠部材１６の切欠き１６ｓに嵌合して、外枠部材１８が内枠部材１６に結合するようになっている。
【００２０】
側板部材２２は板状の部材であり、図２及び図３に示すように、上下の端部が内枠部材１６の左右の端部にそれぞれ結合するようになっている。
【００２１】
連結部材１２は、図１（ｂ）及び図２に示すように、断面が五角形の柱状部材であり、内枠部材１６間に配置され、ジグザクに形成された内枠部材１６の有底溝１６ａ及び貫通穴１６ｂのジグザクの各頂点近傍に、上下端が結合されるようになっている。
【００２２】
連結部材１４は、上記した連結部材１２を半分にした断面が四角形の柱状部材であり、側板２２に沿って内枠部材１６間に配置され、ジグザクに形成された内枠部材１６の有底溝１６ａ及び貫通穴１６ｂのジグザグの始端及び終端の部近傍に、上下端が結合され、側面が側板２２に結合されるようになっている。
【００２３】
連結部材１２，１４、内枠部材１６、外枠部材１８、側板部材２２は、例えば、樹脂や金属で作ることができ、樹脂の場合には接着や圧入により、金属の場合には溶接やねじ止めにより、結合することができる。
【００２４】
フィルタカセット３１〜３８は、図４に示すように、一対のパネル枠３９の間にろ材３０を挟み込んだパネル状の部材であり、図１に示すように、エアフィルタユニット１０のフィルタ枠内にＶ字型に組み合わせて配置され、固定される。
【００２５】
次に、エアフィルタユニット１０を組み立てる手順の一例について説明する。
【００２６】
まず、一対の内枠部材１６と一対の側板部材２２とを矩形に結合するとともに、一対の内枠部材１６間に連結部材１２，１４を結合し、連結部材１４については、さらに側板２２に結合する。
【００２７】
次に、一対の内枠部材１６の両側から、フィルタカセット３１〜３８を貫通穴１６ｂに挿通し、図３に示すように、フィルタカセット３１〜３８の端部を内枠部材１６の有底溝１６ａに差し込む。そして、内枠部材１６に外枠部材１８を重ね、外枠部材１８の突起１８ｔを内枠部材１６の切欠き１６ｓに圧入し、外枠部材１８を内枠部材１６に結合する。
【００２８】
以上のようにして組み立てられると、フィルタカセット３１〜３８は、一方の端部が内枠部材１６の有底溝１６ａの底面に圧接し、他方の端部（貫通穴１６ｂ側の端部）は外枠部材１８の有底溝１８ａの底面に圧接し、対向する内枠部材１６及び外枠部材１８の間において、隙間や遊びがないようにして、保持される。また、フィルタカセット３１〜３８の隣り合う端部は、図１（ｂ）に示すように、連結部材１２，１４に圧接し、隙間や遊びがないようになる。これにより、フィルタカセット３１〜３８の四辺がシールされるので、フィルタ性能を向上することができる。
【００２９】
また、フィルタカセット３１〜３８を抜き差しする方向はフィルタ枠の延在方向であり、従来品のように隣のエアフィルタユニットと交差することはないので、エアフィルタユニットの組立作業は容易である。
【００３０】
なお、本発明は上記実施例に限定されるものではなく、変更を加えた種々の態様で実施可能である。
【産業上の利用可能性】
【００３１】
本発明のエアフィルタユニットは、空調設備やエンジンの吸気系など、エアフィルタ一般に広く利用可能である。
【図面の簡単な説明】
【００３２】
【図１】エアフィルタユニットの（ａ）正面図、（ｂ）断面図である。（実施例）
【図２】図１のエアフィルタユニットの組立斜視図である。（実施例）
【図３】図１のエアフィルタユニットの要部拡大断面図である。（実施例）
【図４】フィルタカセットの組立斜視図である。（実施例）
【図５】エアフィルタユニットの部分断面斜視図である。（従来例）
【符号の説明】
【００３３】
１０  エアフィルタユニット
１２，１４  連結部材
１６  内枠部材（フィルタ枠、一対の枠部材）
１６ｂ  貫通穴
１８  外枠部材
２２  側枠部材（フィルタ枠）
３０  ろ材
３１〜３８  フィルタカセット
【図１】
2005161263.tif 000003
【図２】
2005161263.tif 000004
【図３】
2005161263.tif 000005
【図４】
2005161263.tif 000006
【図５】
2005161263.tif 000007